(57)【要約】  【課題】  比重針の比重針固定台への載置操作から検体滴下操作までの作業を効率良く行うことができる比重針固定台およびそれを用いたヘモグロビン測定装置を提供する。  【解決手段】  基台２に固定された比重針ガイド部３に、検体滴下部の方向へ前方に延出する前方延出部４を、軸体１７を介して回転自在に取り付け、検体を収容した比重針３１を前方延出部４を含む比重針載置部に載置し、比重針３１を、前方延出部４と共に、軸体１７を回転軸としてその針先３１ａが下方へ向かうように回転させることにより、比重針３１から検体を滴下させるようにした。また、比重針３１を、前方延出部４の針基支持部３１ｂと、後方延出部８のチューブ支持部８ａの２点で支持すると共に、弾性部材によって前方延出部４が常時は基台２と略平行に保持されるようにした。【選択図】  図２
2006053021.tif 000002
【特許請求の範囲】
【請求項１】
基台と、
前記基台に固定された比重針ガイド部と、
前記比重針ガイド部に軸体を介して回転自在に取り付けられ、前記比重針ガイド部から検体滴下部の方向へ前方に延出する前方延出部が設けられた比重針載置部とを備え、
検体を収容した比重針を前記比重針載置部に載置し、前記比重針を、前記前方延出部と共に、前記軸体を回転軸としてその針先が下方へ向かうように回転させることにより、前記比重針から前記検体を滴下させるようにしたことを特徴とする比重針固定台。
【請求項２】
前記比重針載置部に、前記比重針ガイド部から前記検体滴下部とは逆方向へ後方に延出し、前記比重針を載置した際にその後部側を支持する後方延出部が設けられていることを特徴とする請求項１に記載の比重針固定台。
【請求項３】
前記比重針載置部の前記前方延出部を前記基台と略平行に支持し、前記前方延出部を下方へ回転させた際に、回転方向とは逆方向へ弾性力を作用する弾性部材が設けられていることを特徴とする請求項１または２に記載の比重針固定台。
【請求項４】
前記比重針ガイド部に、前記比重針載置部の前記前方延出部を下方へ回転させた際に、該前方延出部に嵌合される被嵌合部が設けられていることを特徴とする請求項１〜３のいずれかに記載の比重針固定台。
【請求項５】
前記比重針ガイド部に、前記比重針載置部の前記前方延出部を下方へ回転させて該前方延出部が所定角度まで傾斜した際に該前方延出部に当接し、検体滴下時における前記比重針の傾斜角度を規定するテーパ面が設けられていることを特徴とする請求項１〜４のいずれかに記載の比重針固定台。
【請求項６】
前記前方延出部の先端部に、前記比重針の針基に対応した形状を有し、該針基と嵌合することにより前記比重針の軸を中心とする回転を規制する針基支持部が設けられていることを特徴とする請求項１〜５のいずれかに記載の比重針固定台。
【請求項７】
前記基台と着脱可能に設けられ、前記基台から取り外した際に前記検体滴下部の上方を開放する保守用部材を備えることを特徴とする請求項１〜６のいずれかに記載の比重針固定台。
【請求項８】
請求項１〜７のいずれかに記載の比重針固定台を備えることを特徴とするヘモグロビン測定装置。
【発明の詳細な説明】
【技術分野】
【０００１】
本発明は、検体を収容した比重針から、所定位置へ該検体を滴下させる比重針固定台およびそれを用いたヘモグロビン測定装置に関する。
【背景技術】
【０００２】
献血を行う際には、事前に血液比重測定、ヘモグロビン測定等により、予め定められた基準に基づき検査を行っている。このうち、ヘモグロビン測定では採血した検体中のオキシヘモグロビン濃度を吸光度分析により測定して貧血等の有無について検査を行っている。このヘモグロビン測定を行うためのヘモグロビン測定装置には、採血した検体を収容した比重針を固定し、所定位置へ該検体を滴下させるための比重針固定台が設けられている（特許文献１、２）。
【０００３】
本出願人により提案された特許文献１の比重針固定台では、基台に対して回動台を回動自在に取り付け、比重針をこの回動台に対して固定部材によって装着固定した後、この回動台を下方から支持し、基台上を回動中心方向へ移動可能に設けられたスライダを、回動台の下側に対して摺動させながら回動中心方向へ移動させることにより、回動台を所定位置まで回動させ、回動台に固定された比重針の針先から検体を滴下させるようにしている。
【特許文献１】特願２００３−１８２７９５号明細書
【特許文献２】特開２００２−４００１９号公報
【発明の開示】
【発明が解決しようとする課題】
【０００４】
上記の比重針固定台では、固定部材により回動台に比重針を固定し、次にスライダを操作する構成としているが、実際の使用時には多数の検体を一時に処理することを要する場合が多く、このような場合には検体滴下の作業をできるだけ効率よく行うことができることが望ましい。また、比重針を固定、回転する機構の構造をさらに簡素化し、その製作および調整を容易にできることが望ましい。
【０００５】
また、上記の比重針固定台では、比重針を回動台に対して固定部材で固定する必要があることから、例えば比重針を固定部材に固定する際に、誤って検体が滴下するまで比重針を傾けてしまったり、比重針のチューブに加重が加わることで誤滴下をしてしまったりすることを防止するために、比重針の固定作業に関して慎重な取り扱いが求められる。
【０００６】
また、比重針固定台が取り付けられるヘモグロビン測定装置本体には、比重針からの検体の滴下を検知するセンサが設けられているが、このセンサが検体等により汚れることを防止するために、検体が滴下する経路の周囲には滴下カバーが設けられている。この滴下カバーが汚れると、センサが誤動作することがあり、定期的に滴下カバーを清掃する必要がある。しかし、従来の比重針固定台では、滴下カバーの清掃を行うにはヘモグロビン測定装置本体から基台ごと比重針固定台を取り外し、滴下カバーを清掃した後に再度基台をヘモグロビン測定装置本体に取り付ける必要があり、保守作業が容易ではなかった。
【０００７】
本発明は上記したような従来技術における問題点を解決するためになされたものであり、比重針の比重針固定台への載置操作から検体滴下操作までの作業を効率良く行うことができる比重針固定台およびヘモグロビン測定装置を提供することを目的としている。
【０００８】
本発明は、比重針を回転する機構が簡易な構造で構成され、その製作および調整を容易
に行うことができる比重針固定台およびヘモグロビン測定装置を提供することを目的としている。
【０００９】
本発明は、比重針固定台への載置時における比重針への取り扱いが容易であり、検体の誤滴下を充分に防止可能な比重針固定台およびヘモグロビン測定装置を提供することを目的としている。
【００１０】
本発明は、検体を一定条件で正確に滴下することができる比重針固定台およびヘモグロビン測定装置を提供することを目的としている。
本発明は、検体滴下部周辺の保守作業が容易な比重針固定台およびヘモグロビン測定装置を提供することを目的としている。
【課題を解決するための手段】
【００１１】
本発明の比重針固定台は、基台と、
前記基台に固定された比重針ガイド部と、
前記比重針ガイド部に軸体を介して回転自在に取り付けられ、前記比重針ガイド部から検体滴下部の方向へ前方に延出する前方延出部が設けられた比重針載置部とを備え、
検体を収容した比重針を前記比重針載置部に載置し、前記比重針を、前記前方延出部と共に、前記軸体を回転軸としてその針先が下方へ向かうように回転させることにより、前記比重針から前記検体を滴下させるようにしたことを特徴とする。
【００１２】
上記の発明では、比重針を比重針載置部に載置し、次いで比重針を手指等で把持しながら前方延出部と共に下方へ押して回転させることによって比重針から検体を滴下させるようにしている。
【００１３】
したがって、比重針の比重針固定台への載置操作から検体滴下操作までの一連の作業を連続した作業として行えるため、本発明の比重針固定台は作業性が良く、効率的に検査を行うことができる。
【００１４】
また、比重針を回転する機構が、比重針載置部と比重針ガイド部とからなる簡易な構造で構成されているので、その製作および調整を容易に行うことができる。
本発明の比重針固定台は、前記比重針載置部に、前記比重針ガイド部から前記検体滴下部とは逆方向へ後方に延出し、前記比重針を載置した際にその後部側を支持する後方延出部が設けられていることを特徴とする。
【００１５】
上記の発明では、比重針の針基等の前部側を前方延出部で支持するとともに、チューブ等の後部側を後方延出部で支持するようにしている。例えば、前方延出部の先端部で比重針の針基を支持し、後方延出部の所定位置で比重針のチューブを支持し、これらの２箇所で比重針を支持することによって、チューブに加重が掛かることが無く、例えばチューブが湾曲している場合であっても検体の誤滴下を防止することができる。また、前方延出部と後方延出部とが基台に対して略平行に、互いに反対方向へ延び出すように設置したことにより、容易に比重針を載置することができる。
【００１６】
本発明の比重針固定台は、前記比重針載置部の前記前方延出部を前記基台と略平行に支持し、前記前方延出部を下方へ回転させた際に、回転方向とは逆方向へ弾性力を作用する弾性部材が設けられていることを特徴とする。
【００１７】
上記の発明では、前方延出部は弾性部材の弾性力で基台と略平行に保たれているので、上記のように前方延出部と後方延出部の２箇所で比重針を支持する場合、比重針の形状に応じて前方延出部が弾性力に抗して適宜に回転移動し、これによって比重針の変形を吸収
しながら前方延出部に対して所定配置で比重針を載置することができる。したがって、比重針の比重針載置部への載置時における比重針への取り扱いが容易であり、慎重な取り扱いを要せずとも比重針からの誤滴下を防止できる。
【００１８】
本発明の比重針固定台は、前記比重針ガイド部に、前記比重針載置部の前記前方延出部を下方へ回転させた際に、該前方延出部に嵌合される被嵌合部が設けられていることを特徴とする。
【００１９】
上記の発明では、比重針を前方延出部と共に回転方向へ押し下げた際に、比重針ガイド部に設けられた、前方延出部に対応する横幅を有する凹状の被嵌合部に前方延出部が嵌め合わされる。これによって、比重針を載置した比重針載置部の前方延出部を回転させて比重針から検体を滴下させる際に、回転する比重針の横方向への動きが被嵌合部により規制されるので、比重針が横ぶれすることが無く、検体を決められた位置へ正確に滴下することができる。
【００２０】
本発明の比重針固定台は、前記比重針ガイド部に、前記比重針載置部の前記前方延出部を下方へ回転させて該前方延出部が所定角度まで傾斜した際に該前方延出部に当接し、検体滴下時における前記比重針の傾斜角度を規定するテーパ面が設けられていることを特徴とする。
【００２１】
上記の発明では、比重針を前方延出部と共に回転方向へ押し下げた際に、前方延出部が、比重針ガイド部に設けられたテーパ面に所定の傾斜角度で突き当たる。前方延出部がテーパ面に突き当てられた状態で、手指等で比重針を保持しながら検体を滴下させることにより、検体滴下時における比重針の傾斜角度が常に一定となるように規定することができる。したがって、検体を決められた位置へ正確に滴下することができる。
【００２２】
本発明の比重針固定台は、前記前方延出部の先端部に、前記比重針の針基に対応した形状を有し、該針基と嵌合することにより前記比重針の軸を中心とする回転を規制する針基支持部が設けられていることを特徴とする。
【００２３】
上記の発明では、比重針を比重針載置部に載置した際に、比重針の針基がその形状に対応した形状に嵌合することにより、比重針載置部に対して常に一定の配置で比重針を載置することができる。また、比重針の軸を中心とする回転が規制されるので、比重針の針先の、針先方向から見た軸径方向の配置が常に所定の同一位置となり、常に一定条件にて検体を滴下することができる。
【００２４】
本発明の比重針固定台は、前記基台と着脱可能に設けられ、前記基台から取り外した際に前記検体滴下部の上方を開放する保守用部材を備えることを特徴とする。
上記の発明では、基台と着脱可能に設けられた保守用部材を取り外すことによって、検体滴下部の上方が開放される。前述したように、ヘモグロビン測定装置本体の検体滴下部周辺に設けられた樹脂製滴下カバーが検体等で汚染されると、検体の滴下を光学的な手段等により検出するセンサが誤動作することがあり、定期的に滴下カバーを保守点検する必要がある。この際、保守点検時には基台ごと取り外すことを要せず、保守用部材だけを基台から取り外して滴下カバー等の検体滴下部周辺の点検、清掃を行い、保守点検後には保守用部材を基台に再度装着すればよく、検体滴下部周辺の清掃を容易に行うことができる。
【００２５】
本発明のヘモグロビン測定装置は、上記した比重針固定台を備えている。
【発明の効果】
【００２６】
本発明の比重針固定台およびヘモグロビン測定装置によれば、比重針の比重針固定台への載置操作から検体滴下操作までの作業を効率良く行うことができる。
本発明の比重針固定台およびヘモグロビン測定装置によれば、その製作および調整を容易に行うことができる。
【００２７】
本発明の比重針固定台およびヘモグロビン測定装置によれば、比重針への取り扱いが容易であり、検体の誤滴下を充分に防止することができる。
本発明の比重針固定台およびヘモグロビン測定装置によれば、検体を一定条件で正確に滴下することができる。
【００２８】
本発明の比重針固定台およびヘモグロビン測定装置によれば、検体滴下部の保守作業が容易である。
【発明を実施するための最良の形態】
【００２９】
以下、図面を参照しながら本発明を説明する。図１は、本発明の比重針固定台の実施形態を示した斜視図、図２は、この比重針固定台に比重針を載置した状態を示した斜視図、図３は、この比重針固定台の図２とは逆側から見た一部分解斜視図、図４は、この比重針固定台の分解斜視図である。
【００３０】
図１に示したように、本実施形態の比重針固定台１では、基台２に比重針ガイド部３が固定され、検体滴下部の方向へ前方に延出する前方延出部４と、検体滴下部とは逆方向へ後方に延出する後方延出部８とが、この比重針ガイド部３に対して軸体１７を介して取り付けられている。図２に示したように、検体を収容した比重針３１は、これらの前方延出部４および後方延出部８からなる比重針載置部に載置される。
【００３１】
前方延出部４は、軸体１７を介して比重針ガイド部３に下方へ回転自在に取り付けられており、図３および図４に示したねじりコイルばね１９の弾性力によって常時は基台２と略平行に支持されている。即ち、前方延出部４は、ねじりコイルばね１９の弾性力に抗して押し下げることにより下方へ回転させることができ、下方への押圧力を解除すれば、ねじりコイルばね１９の弾性力によって元の平行位置に戻るようになっている。前方延出部４の先端部には、比重針３１を載置した際にその針基３１ｂを支持する針基支持部５が設けられている。
【００３２】
図１の後方延出部８は、比重針ガイド部３の側面部に対して一方の軸体止め輪１８（図４）で押さえられた状態で、軸体１７を介して、比重針ガイド部３に対して半固定状態で回動可能に取り付けられている。比重針ガイド部３の側面部には、基台２と略平行な段差を有する図４の段差部２４が形成され、後方延出部８は、その下部側が段差部２４に当接することにより基台２と略平行に支持される。
【００３３】
図２に示したように、比重針３１は、針基支持部５でその針基３１ｂが支持され、後方延出部８の後端側に形成されたチューブ支持部８ａでチューブ３１ｃが支持された状態で載置される。これらの２箇所で比重針を支持しているので、チューブ３１ｃに加重が掛かることが無く、例えばチューブが湾曲している場合であっても載置操作時における検体の誤滴下を防止することができる。
【００３４】
また、前方延出部４は、図３のねじりコイルばね１９の弾性力で基台２と略平行に保たれているので、比重針３１を手指で把持して載置する際に、比重針３１の形状に応じて前方延出部４がねじりコイルばね１９の弾性力に抗して適宜に回転移動し、これによって比重針３１の変形を吸収しながら前方延出部４に対して所定配置で比重針３１を固定することができる。
【００３５】
前方延出部４の先端部に設けられた針基支持部５には、比重針３１の針基３１ｂの断面形状である略十字形状に対応した凹形状が形成されている。即ち、針基３１ｂの断面下半分の下方突出部および一対の側方突出部が形成された部分に対応する略Ｔ字状の被嵌合部が形成されており、この被嵌合部に針基３１ｂを嵌め合わせることにより、比重針載置部に対して常に一定の配置で比重針３１が載置される。また、比重針３１の軸を中心とする回転が規制されるので、比重針３１の針先３１ａの、針先方向から見た軸径方向の配置が常に所定の同一位置となるように固定される。これによって、常に一定条件にて検体を滴下することができる。
【００３６】
検体を収容した図２の比重針３１を比重針載置部に手指で載置した後、手指を離さずにそのまま比重針３１を前方延出部４と共に押し下げ、軸体１７を回転軸としてその針先３１ａが下方へ向かうように回転させることにより、比重針３１から検体を滴下させる。具体的には、比重針３１の針基３１ｂの近傍を指で下方に押し下げ、前方延出部４の下部側が比重針ガイド部３に形成された図３のテーパ面２２に突き当たるまで回転させることにより、検体を針先３１ａから検体滴下孔１２を介してその下方の検体滴下部（図示せず）に滴下する。
【００３７】
この検体滴下時における比重針３１の傾斜角度を規定するテーパ面２２が基台２に対して成す角度は、好ましくは１５〜３０度である。
検体を収容した比重針３１を前方延出部４と共に押し下げた際に、前方延出部４を構成する前方延出部材６（図４）は、比重針ガイド部に設けられた被嵌合部（嵌合溝２３）に嵌合し、これにより回転する比重針３１の横方向への動きを規制するようにしている。嵌合溝２３の横幅は、これに嵌合する前方延出部材６の横幅と略同一となるように形成され、嵌合時には前方延出部材６が嵌合溝２３の側面に対して摺動しながら嵌入するようになっている。
【００３８】
このように、検体滴下時における比重針３１の回転角度を上記のテーパ面２２で規定するとともに、嵌合溝２３で比重針３１の横ぶれを規制しているので、検体を決められた位置へ正確に滴下することができる。
【００３９】
以下、図４の分解斜視図により本実施形態の比重針固定台１の構成を詳述する。比重針ガイド部３は、第１の上側ガイド部材３ａ、第２の上側ガイド部材３ｂおよび下側ガイド部材３ｃからなり、下側ガイド部材３ｃは取り付けねじ２７で基台２に取り付けられ、その前部には回転時に前方延出部材６に嵌合される嵌合溝２３が形成されている。
【００４０】
第１の上側ガイド部材３ａと、下側ガイド部材３ｃとは、取り付けねじ２８で互いに固定される。第１の上側ガイド部材３ａには、回転時に前方延出部材６に当接する図３のテーパ面２２と、ねじりコイルばね１９が係止される係止部２１が形成されている。
【００４１】
第１の上側ガイド部材３ａと、第２の上側ガイド部材３ｂとは、取り付けねじ２６で互いに固定される。第２の上側ガイド部材３ｂには、後方延出部材９を支持する段差部２４が形成されている。
【００４２】
前方延出部４は、前方延出部材６と針基支持部材７とからなり、これらは取り付けねじ２５で互いに固定される。前方延出部材６の後端側は、軸体１７を介して第１の上側ガイド部材３ａと第２の上側ガイド部材３ｂに取り付けられる。
【００４３】
後方延出部８を構成する後方延出部材９の材質には、金属等を使用することができ、その後端側には比重針３１のチューブ３１ｃを支持するためのチューブ支持部８ａが、例え
ば金属部材を屈曲させることにより形成されている。
【００４４】
基台２の四方の角部近傍には、比重針固定台１を後述するヘモグロビン測定装置本体へねじで取り付けるための取り付け孔１６が形成されている。基台２の前方には、ヘモグロビン測定装置本体に設けられた図７の滴下カバー４２の保守点検を容易とするために、保守用部材１１が基台２に対して着脱可能に設けられている。１３は、保守用部材１１をねじで固定するための保守用部材固定孔である。なお本実施形態では、基台２、前方延出部４の構成部材、比重針ガイド部３の構成部材、保守用部材１１等は、樹脂材で形成したものを使用している。
【００４５】
図５および図６は、本発明のヘモグロビン測定装置の実施形態を示した斜視図、図７は検体滴下部周辺の構成を示した図（図６のＡ部を拡大した図）である。図５および図６に示したヘモグロビン測定装置５１は、上述した比重針固定台１を装置本体に取り付けて構成されている。
【００４６】
ヘモグロビン測定装置５１の前部の挿入孔から、長手方向に等間隔で複数のウェルが設けられた長尺の検体板５３が挿入される。検体板５３は、その幅方向の一端側の側端部に沿って形成されたラック歯が、装置５１に設けられた移送用のピニオンに噛合され、他端側の側端部が装置５１に設けられたガイド部に案内された状態で、ステッピングモータを駆動源とする駆動機構でこのピニオンを回転させることにより、装置５１の手前側と、奥側のヘモグロビン測定部との間を移送される。
【００４７】
このヘモグロビン測定装置５１による検体の測定は次のように行われる。最初に、検体が均一に拡散するように白布が設置された空のウェルがヘモグロビン測定部に配置されるように検体板５３を移送し、検体を滴下されていない空のウェルを測定する。なお、検体板５３のラック歯が形成された側とは逆側の側端部には、所定間隔を置いて切り欠き部が形成されており、この切り欠き部のエッジによる光反射の変調を位置検出用センサにより光学的に検出することによってウェルがヘモグロビン測定部に配置されたことを検出する。
【００４８】
次いで、このウェルが図５の検体滴下孔１２の直下の位置の検体滴下部に配置されるように検体板５３を移送し、比重針固定台１に載置された比重針３１から検体滴下孔１２を通してウェルへ検体を滴下する。なお、上記と同様に、検体板５３の側端部に形成された切り欠き部のエッジによる光反射の変調を、別途の位置検出用センサで光学的に検出することによりウェルの中心部が検体滴下部の中心部に位置したことを検出する。
【００４９】
また、比重針３１から滴下された検体は、検体滴下孔１２を通過し、アクリル樹脂等の透明な材質で形成された図７の滴下カバー４２を通過するが、この際、検体が滴下カバー４２を通過したことを、検体滴下検出センサ４１が光学的に検出する。
【００５０】
検体滴下検出センサ４１によりウェルへの検体滴下が検出されると、このウェルが再びヘモグロビン測定部に配置されるように検体板５３が移送され、検体に測定光を照射してそのヘモグロビン濃度を吸光度法により測定する。測定結果（ヘモグロビン濃度：ｇ／ｌ）は図５の表示部５２に表示される。
【００５１】
これらの一連の操作（空のウェルの測定、検体滴下、検体測定）は、検体板５３に設けられた各ウェルについても同様に行われる。測定開始等は押しボタンにより指示できるようになっており、検体番号、測定数、および測定準備中、測定中等の表示が表示部５２に表示されるようになっている。
【００５２】
図７の検体滴下検出センサ４１は、滴下カバー４２が検体等で汚染されると誤検出するおそれがあるため、これによる誤動作を防止するために、定期的に滴下カバー４２を点検し、必要に応じて清掃する必要がある。本実施形態では、図１〜図４にも示したように、検体滴下部の上方となる位置に、比重針固定台１の基台２に対して着脱可能な保守用部材１１を設け、滴下カバー４２の保守点検時には保守用部材１１を基台２から取り外すことによって簡便に検体滴下部の上方を開放し、滴下カバー４２の保守点検を容易に行えるようにしている。
【００５３】
本実施形態では、図４の分解斜視図に示したように、基台２における保守用部材１１の装着部位の内側周縁に沿って形成された凸条の突出部１５を、保守用部材１１の外側周縁に沿って形成された凹条の溝部１４に嵌め合せることによって、保守用部材１１を基台２に対して装着するようにしている。図６に示したように、保守点検時には保守用部材１１を基台２から取り外して滴下カバー４２の点検、清掃を行い、保守点検後には図４の突出部１５を溝部１４に嵌め合せることによって保守用部材１１を基台２に再び装着すればよく、容易に保守点検が行えるようになっている。
【００５４】
以上、本発明の実施形態を説明したが、本発明はこれらの実施形態に限定されることはなく、その要旨を逸脱しない範囲内において種々の変形、変更が可能である。例えば、針基支持部５の被嵌合部の形状は、載置する比重針３１の針基３１ｂの形状に応じて、比重針３１の軸を中心とする回転が規制される形状であれば他の形状であってもよい。
【００５５】
比重針固定台１を構成する各部材は、場合に応じて適宜の材質で構成することができる。
前方延出部４を支持する弾性部材は、ねじりコイルばね１９以外のものであってもよい。
【００５６】
保守用部材１１と基台２との装着構造は、例えば基台２に被嵌合凹部を設け、保守用部材１１に嵌合凸部を設けたものであってもよく、着脱が容易な構造であればその他の装着構造であってもよい。
【図面の簡単な説明】
【００５７】
【図１】本発明の比重針固定台の実施形態を示した斜視図である。
【図２】図１の比重針固定台に比重針を載置した状態を示した斜視図である。
【図３】図２の比重針を載置した状態を示した比重針固定台を、図２とは逆側から見た一部分解斜視図である。
【図４】図１の比重針固定台の分解斜視図である。
【図５】本発明のヘモグロビン測定装置の実施形態を示した斜視図である。
【図６】本発明のヘモグロビン測定装置の実施形態を示した図６と同様な斜視図であり、保守用部材を取り外した状態を示す。
【図７】検体滴下部周辺の構成を示した図（図６のＡ部を拡大した図）である。
【符号の説明】
【００５８】
１    比重針固定台
２    基台
３    比重針ガイド部
３ａ  第１の上側ガイド部材
３ｂ  第２の上側ガイド部材
３ｃ  下側ガイド部材
４    前方延出部
５    針基支持部
６    前方延出部材
７    針基支持部材
８    後方延出部
８ａ  チューブ支持部
９    後方延出部材
１１    保守用部材
１２    検体滴下孔
１３    保守用部材固定孔
１４    溝部
１５    突出部
１６    取り付け孔
１７    軸体
１８    軸体止め輪
１９    ねじりコイルばね
２１    係止部
２２    テーパ面
２３    嵌合溝
２４    段差部
２５    取り付けねじ
２６    取り付けねじ
２７    取り付けねじ
２８    取り付けねじ
３１    比重針
３１ａ  針先
３１ｂ  針基
３１ｃ  チューブ
４１    検体滴下検出センサ
４２    滴下カバー
５１    ヘモグロビン測定装置
５２    表示部
５３    検体板
【図１】
2006053021.tif 000003
【図２】
2006053021.tif 000004
【図３】
2006053021.tif 000005
【図４】
2006053021.tif 000006
【図５】
2006053021.tif 000007
【図６】
2006053021.tif 000008
【図７】
2006053021.tif 000009